(57)【要約】【課題】混合廃棄物の選別処理量を増加させることができるようにする。【解決手段】混合廃棄物を搬送しながら手作業で選別するための手選別用コンベアを備えた混合廃棄物選別処理設備に用いられるシュート２５は、受入口２９とこの受入口２９より下方に設けられた第１および第２の排出口３２，３３を備える。シュート２５は、第４ベルトコンベア１０から供給される混合廃棄物を受入口２９から受け入れて２つの排出口３２，３３から同時に第１および第２の２台の手選別用コンベア１２，１３に供給可能な構成である。【選択図】図４
2013147310.tif 000002
【特許請求の範囲】
【請求項１】
混合廃棄物を搬送しながら手作業で選別するための手選別用コンベアを備えた混合廃棄物選別処理設備に用いられるシュートであって、
受入口とこの受入口より下方に設けられた複数の排出口を有し、
混合廃棄物供給手段から供給される混合廃棄物を前記受入口から受け入れて前記複数の排出口から同時に複数台の手選別用コンベアに供給可能な構成であることを特徴とする混合廃棄物選別処理設備用シュート。
【請求項２】
前記受入口から受け入れた前記混合廃棄物を前記複数の排出口に振り分けるための振分部を有し、前記振分部に、上方へ向けて突出する突起部を設けたことを特徴とする請求項１記載の混合廃棄物選別処理設備用シュート。
【請求項３】
内部を視認可能な点検窓を有することを特徴とする請求項１または２記載の混合廃棄物選別処理設備用シュート。
【請求項４】
混合廃棄物を搬送しながら手作業で選別するための手選別用コンベアを備えた混合廃棄物選別処理設備であって、
混合廃棄物供給手段と、
受入口とこの受入口より下方に設けられた複数の排出口を有したシュートと、
前記複数の排出口の下方に対応して設けられた複数台の手選別用コンベアと、を備え、
前記シュートは、前記混合廃棄物供給手段から供給される混合廃棄物を前記受入口から受け入れて前記複数の排出口から同時に複数台の前記手選別用コンベアに供給可能な構成であることを特徴とする混合廃棄物選別処理設備。
【発明の詳細な説明】
【技術分野】
【０００１】
本発明は、混合廃棄物を搬送しながら手作業で選別するための手選別用コンベアを備えた混合廃棄物選別処理設備およびこれに用いられるシュートに関する。
【背景技術】
【０００２】
がれきなどの混合廃棄物には、鉄類、非鉄金属類、プラスチック類、ガラス類、木くずや紙くずなどの可燃物など様々な種類のものが混ざっており、このような混合廃棄物を処理する設備においては手選別用コンベアが用いられる（例えば、特許文献１参照）。手選別用コンベアが用いられる目的としては、重機等では選別し難い約５００ｍｍアンダーの混合廃棄物の中から各作業員が決められた種類の物を手作業で選別することにより、混合廃棄物は種類ごとに分けられ、混合物ではなくなり、多くは資源化や焼却処分が可能になる点がある。
【０００３】
手選別用コンベアは人が手作業で選別作業を行うため、ベルトコンベアの搬送スピードは約１０ｍ／分が限界となる。手選別用コンベアの前工程に処理能力が大きい機械を設置したとしても、手選別用コンベアでの処理能力に限界があるため、選別処理設備の最終的な処理能力は、手選別用コンベアでの処理能力に左右されることになる。このため、選別処理量を増やしたくても手選別用コンベアでの処理能力がネックとなるという課題がある。
【先行技術文献】
【特許文献】
【０００４】
【特許文献１】特開２００６−２７８６１号公報
【発明の概要】
【発明が解決しようとする課題】
【０００５】
そこで、本発明の目的は、混合廃棄物の選別処理量を増加させることができる混合廃棄物選別処理設備用シュートおよび混合廃棄物選別処理設備を提供することにある。
【課題を解決するための手段】
【０００６】
上記の目的を達成するため、本発明は、混合廃棄物を搬送しながら手作業で選別するための手選別用コンベアを備えた混合廃棄物選別処理設備に用いられるシュートであって、受入口とこの受入口より下方に設けられた複数の排出口を有し、混合廃棄物供給手段から供給される混合廃棄物を前記受入口から受け入れて前記複数の排出口から同時に複数台の手選別用コンベアに供給可能な構成としたことを特徴とする。
【発明の効果】
【０００７】
本発明のシュートを用いることにより、混合廃棄物供給手段から供給される混合廃棄物を同時に複数台の手選別用コンベアに供給することが可能となるから、１個のシュートに対して複数台の手選別用コンベアの設置が可能となり、手選別による処理量を大幅に増加させることが可能になる。
【図面の簡単な説明】
【０００８】
【図１】本発明の第１実施形態を示す混合廃棄物選別処理設備の概略的な平面図
【図２】混合廃棄物選別処理設備の概略的な側面図
【図３】図２の矢印Ａ３方向から見たシュート付近の概略図
【図４】図２のＡ４−Ａ４線に沿う縦断面図
【図５】本発明の第２実施形態を示す図４相当図
【発明を実施するための形態】
【０００９】
（第１実施形態）
以下、本発明の第１実施形態について図１〜図４を参照して説明する。まず図１には、混合廃棄物選別処理設備１の概略的な平面図が示され、図２には、同設備１の概略的な側面図が示されている。これら図１および図２における右側には、第１ベルトコンベア２が設置されている。この第１ベルトコンベア２は左上がりの傾斜状態に設けられていて、この第１ベルトコンベア２の右部の上部には投入ホッパー３が設置されている。投入ホッパー３は上部および下部が開口していて、下部の開口部が第１ベルトコンベア２の搬送ベルト２ａに上方から臨んでいる。この投入ホッパー３には、例えば５００ｍｍ以下の大きさの混合廃棄物（図示せず）が投入される。投入ホッパー３に投入された混合廃棄物は、第１ベルトコンベア２の搬送ベルト２ａにより受けられて矢印Ｂ１方向へ搬送される。
【００１０】
第１ベルトコンベア２において、図１および図２の左右方向の中間部には第１磁選機４が設置されている。この第１磁選機４は、図示はしないが磁石を備えていて、第１ベルトコンベア２にて搬送される混合廃棄物から鉄類を吸着除去する。第１磁選機４にて吸着除去された鉄類は、鉄類貯留部５に落下して貯留される。
【００１１】
第１ベルトコンベア２の左側には、トロンメル６が設置されている。このトロンメル６は回転円筒型のふるい機で、左下がりの傾斜状態に設けられている。このトロンメル６は、目の粗さが２０ｍｍのふるい網を有している。第１ベルトコンベア２により搬送された混合廃棄物はこのトロンメル６に供給され、ここでふるわれ、２０ｍｍ〜５００ｍｍの大きさの混合廃棄物がトロンメル６の左側へ送られる（図１および図２の矢印Ｂ２参照）。２０ｍｍ以下の土などの２０ｍｍアンダー物は、トロンメル６の下方に設置された第２ベルトコンベア７にて受けられて矢印Ｂ３方向へ搬送される。第２ベルトコンベア７の搬送先には、搬送方向をほぼ９０度変えた第３ベルトコンベア８が設置されている。第２ベルトコンベア７で搬送された２０ｍｍアンダー物は、第３ベルトコンベア８にて受けられて、図１の矢印Ｂ４方向へ搬送された後、２０ｍｍアンダー物貯留部９に落下して貯留される。
【００１２】
トロンメル６の左側には、第４ベルトコンベア１０が設置されている。この第４ベルトコンベア１０は、前記第１ベルトコンベア２と同様に左上がりの傾斜状態に設けられている。第４ベルトコンベア１０は、トロンメル６から送り出された２０ｍｍ〜５００ｍｍの混合廃棄物を搬送ベルト１０ａにて受けて矢印Ｂ５方向へ搬送する。
【００１３】
第４ベルトコンベア１０左側の下方には、図１および図２の左右方向に延びる手選別用作業台１１が設置されていて、この手選別用作業台１１上に、第１の手選別用コンベア１２と第２の手選別用コンベア１３がほぼ水平状態で設置されている。これら第１および第２の２台の手選別用コンベア１２，１３は、同様な構成のもので、それぞれの搬送ベルト１２ａ、１３ａが図１の左右方向に延び、かつ互いに平行する状態で配置されていて、搬送ベルト１２ａ，１３ａ上に供給される混合廃棄物を図１の矢印Ｂ６方向へ搬送する。
【００１４】
手選別用作業台１１の下方には、右から順に、プラスチック用貯留部１４、木くず用貯留部１５、紙くず用貯留部１６、その他可燃物貯留部１７、非鉄金属貯留部１８、鉄類貯留部１９が設けられ、最も左側に瓦礫・陶磁器くず貯留部２０が設けられている。手選別用作業台１１上には、各貯留部１４〜１９の上方に位置させて、投入口１４ａ〜１９ａが設けられている。また、手選別用作業台１１上には、手選別する作業員２１（図１参照）が配置される。なお、手選別用作業台１１の右端の下部は、道具などを収容する物置２２として利用できるようになっている。
【００１５】
そして、第１および第２の手選別用コンベア１２，１３の右側の上方には、本発明の対象となるシュート２５が設置されている。このシュート２５は、図３および図４にも示すように、上部２６が矩形の筒状をなし、下部に二股状をなすように第１の分岐路２７と第２の分岐路２８を有している。上部２６の右側面（第４ベルトコンベア１０側）は開口していて、ここを受入口２９としている。受入口２９には、第４ベルトコンベア１０における左上部のヘッドドラム１０ｂが挿入されていて、第４ベルトコンベア１０にて搬送された混合廃棄物が、その受入口２９からシュート２５内に供給される。第１の分岐路２７と第２の分岐路２８との間の上部には、山形状をなす振分部３０（図４参照）が設けられていて、この振分部３０には、上方へ向けて突出する突起部３１が設けられている。この突起部３１は、この場合、板状の金属板により形成されている。
【００１６】
第１の分岐路２７と第２の分岐路２８は、下部に向かうに従って互いに離間する距離が大きくなるように分かれていて、第１の分岐路２７の下部開口部を第１の排出口３２とし、第２の分岐路２８の下部開口部を第２の排出口３３としている。したがって、シュート２５において、第１および第２の排出口３２，３３は、受入口２９よりも下方に設けられている。そして、第１の排出口３２を、前記第１の手選別用コンベア１２の搬送ベルト１２ａに上方から臨ませ、第２の排出口３３を、前記第２の手選別用コンベア１３の搬送ベルト１３ａに上方から臨ませている。第１の分岐路２７および第２の分岐路２８は、シュート２５における上下方向の中心線Ｃ１からの傾斜角度α１がそれぞれ約３０度に設定されている。シュート２５内に受け入れられた混合廃棄物は、突起部３１および振分部３０にて第１の分岐路２７と第２の分岐路２８とに振り分けられ、第１の排出口３２から第１の手選別用コンベア１２の搬送ベルト１２ａ上に供給されるとともに、第２の排出口３３から第２の手選別用コンベア１３の搬送ベルト１３ａ上に供給される。
【００１７】
第１の分岐路２７および第２の分岐路２８において、第１および第２の手選別用コンベア１２，１３の搬送方向（Ｂ６方向）側となる左側面の下部には、図３に示すように、それぞれ開口部３４が形成されているとともに、その開口部３４にゴムのれん３５が設けられている。ゴムのれん３５は、ゴムシートに複数本のスリット３５ａを形成してのれん状にしたものである。
【００１８】
シュート２５において、この場合第１の分岐路２７の上部には、開閉式の点検窓３６（図４参照）が設けられている。この点検窓３６は、第１の分岐路２７に形成された開口部３７と、この開口部３７を開閉する開閉蓋３８とにより構成されている。開閉蓋３８は、ヒンジ部３８ａを支点にして回動可能とされている。点検窓３６の開口部３７を開放させると、外からシュート２５内の振分部３０付近の状態を視認することができる。また、点検窓３６付近には、棒状の掃除具３９が備えられている。この掃除具３９は、棒状をなす柄の先端部に引掛け部３９ａを有していて、その先端部を前記開口部３７からシュート２５内に挿入することができるようになっている。
【００１９】
図１および図２において、第１および第２の手選別用コンベア１２，１３の左側には、第２磁選機４０がそれぞれ設けられている。この第２磁選機４０は、前記第１磁選機４と同様な構成のもので、第１および第２の手選別用コンベア１２，１３により搬送される混合廃棄物から鉄類を吸着除去する。第２磁選機４０で吸着除去された鉄類は、鉄類貯留部１９に落下して貯留される。
【００２０】
次に上記構成の作用を説明する。
まず、５００ｍｍ以下の大きさの混合廃棄物が投入ホッパー３内に投入される。この混合廃棄物は、例えば搬送車により投入ホッパー３まで搬送されて投入される。投入ホッパー３内に投入された混合廃棄物は、第１ベルトコンベア２により受けられて矢印Ｂ１方向へ搬送される。この第１ベルトコンベア２で搬送される混合廃棄物は、その搬送途中において、第１磁選機４により鉄類が吸着除去される。第１磁選機４により吸着除去された鉄類は、鉄類貯留部５に落下して貯留される。
【００２１】
第１ベルトコンベア２で搬送された混合廃棄物は、トロンメル６内に供給される。トロンメル６内に供給された混合廃棄物は、ここでふるわれる。このうち、２０ｍｍ以下の土などの２０ｍｍアンダー物は、トロンメル６の下方に設置された第２ベルトコンベア７にて受けられて矢印Ｂ３方向へ搬送された後、第３ベルトコンベア８にて受けられて矢印Ｂ４方向へ搬送され、２０ｍｍアンダー物貯留部９に落下して貯留される。トロンメル６によるふるいで残った２０ｍｍ〜５００ｍｍの大きさの混合廃棄物は、第４ベルトコンベア１０側に送り出され、この第４ベルトコンベア１０により矢印Ｂ５方向へ搬送される。
【００２２】
この第４ベルトコンベア１０により搬送された混合廃棄物は、シュート２５の受入口２９からシュート２５内に供給される。本実施形態の場合、第４ベルトコンベア１０が、混合廃棄物をシュート２５内に供給する混合廃棄物供給手段を構成する。シュート２５内に受け入れられた混合廃棄物は、突起部３１および振分部３０にて第１の分岐路２７と第２の分岐路２８とに振り分けられ、第１の排出口３２から第１の手選別用コンベア１２上に供給されるとともに、第２の排出口３３から第２の手選別用コンベア１３上に供給される。このように第４ベルトコンベア１０からシュート２５内に供給された混合廃棄物は、第１および第２の排出口３２，３３から第１および第２の手選別用コンベア１２，１３に同時に供給される。このとき、シュート２５内の振分部３０に突起部３１を設けたことにより、振分部３０付近に混合廃棄物が堆積することを極力防止できるようになる。
【００２３】
第１および第２の手選別用コンベア１２，１３上に供給された混合廃棄物は、それぞれ図１の矢印Ｂ６方向へ搬送される。このとき、第１および第２の手選別用コンベア１２，１３上に供給された混合廃棄物が山のように盛り上がった状態となったとしても、ゴムのれん３５を通過する際に、そのゴムのれん３５によりならされ、高さが抑えられる。これら第１および第２の手選別用コンベア１２，１３で搬送される混合廃棄物は、手選別用作業台１１上に配置された複数人の作業員２１により、複数の種類に手選別される。手選別された廃棄物は、対応する投入口１４ａ〜１８ａから投入されて、対応する貯留部１４〜１８に貯留される。したがって、この場合、第１および第２の２台の手選別用コンベア１２，１３を同時に稼動して、手選別作業を行うことができる。
【００２４】
そして、手選別から残された混合廃棄物は第２磁選機４０により鉄類が吸着除去され、その鉄類が除去された残りの瓦礫や陶磁器くずなどが、瓦礫・陶磁器くず貯留部２０に落下して貯留される。第２磁選機４０にて吸着除去された鉄類は、鉄類貯留部１９に貯留される。このようにして、混合廃棄物が複数の種類に選別されることで、混合廃棄物でなくなり、種類ごとに資源化や、焼却処理することができるようになる。
【００２５】
上記したような選別処理を行っていると、シュート２５内において、振分部３０付近に混合廃棄物が引っ掛かるなどして堆積が進み、手選別すべき混合廃棄物が、シュート２５から第１および第２の手選別用コンベア１２，１３に供給され難くなり、ついには第１および第２の分岐路２７，２８が詰まってしまうおそれがある。そこで、例えば定期的に点検窓３６の開閉蓋３８を開いて開口部３７からシュート２５内の状態を点検することが好ましい。その点検の結果、振分部３０付近に物が引っ掛かるなどしていた場合には、開口部３７を通して掃除具３９をシュート２５内に挿入し、引掛け部３９ａで、振分部３０付近に引っ掛かっていた棄物を取り除くことで、詰まりの発生を防止することができる。また、仮に点検を忘れ、シュート２５内で詰まりが発生したとしても、前記開口部３７からシュート２５内を掃除することで、詰まりを解除することができる。
【００２６】
上記した実施形態によれば、次のような作用効果を得ることができる。
手選別用コンベアを備えた混合廃棄物選別処理設備１において、シュート２５を用いることにより、混合廃棄物供給手段を構成する第４ベルトコンベア１０から供給される混合廃棄物を同時に第１および第２の手選別用コンベア１２，１３に供給することが可能となる。この結果、１個のシュート２５に対して複数台、この場合２台の手選別用コンベア１２，１３の設置が可能となるから、第４ベルトコンベア１０に対して手選別用コンベアを１台のみしか設置できない場合に比べて、手選別による処理量を倍増させることが可能になる。
【００２７】
シュート２５において、受入口２９から受け入れた混合廃棄物を第１および第２の排出口３２，３３に振り分けるための振分部３０に、上方へ向けて突出する突起部３１を設けた構成とすることにより、混合廃棄物が振分部３０付近で堆積することを極力防止できるようになる。
【００２８】
シュート２５において、点検窓３６を設けたことにより、シュート２５内の点検が容易にできる。また、その点検窓３６を開閉式とすることで、シュート２５内の点検および掃除を容易に行うことができる。
【００２９】
（第２実施形態）
図５は本発明の第２実施形態を示す。この第２実施形態は、上記した第１実施形態とは次の点が異なっている。シュート４５において、第１の分岐路４６および第２の分岐路４７は、中心線Ｃ１からの傾斜角度α２が、それぞれ約４５度に設定されている。
【００３０】
この結果、第１の排出口３２と第２の排出口３３との間の間隔が第１実施形態の場合よりも広くなり、手選別用作業台１１上において、第１の手選別用コンベア１２と第２の手選別用コンベア１３との間の間隔Ｌ２を、第１実施形態における間隔Ｌ１（図５参照）よりも大きくすることができる（Ｌ２＞Ｌ１）。これに伴い、手選別用作業台１１上において、第１の手選別用コンベア１２と第２の手選別用コンベア１３との間に作業員２１を配置することができるスペース４８を確保することが可能になる。これにより、手選別作業の効率を一層向上させることが可能になる。
【００３１】
またこの場合、第１の分岐路４６と第２の分岐路４７とで形成される角度は、約９０度となって、第１および第２の分岐路４６，４７の傾斜が緩やかになるため、振分部３０付近に混合廃棄物が堆積しやすくなることが懸念されるが、振分部３０に突起部３１を設けることは、振分部３０付近に混合廃棄物が堆積することを防止するのに一層効果的である。
【００３２】
（その他の実施形態）
シュート２５，４５としては、第１の分岐路２７，４６および第２の分岐路２８，４７を有するとともに、第１および第２の２つの排出口３２，３３を有する二股のものを例示したが、３つの分岐路と３つの排出口を有する三股のもの、あるいは４つの分岐路と４つの排出口を有する四股のものとすることも可能である。
【符号の説明】
【００３３】
図面中、１は混合廃棄物処理設備、１０は第４ベルトコンベア（混合廃棄物供給手段）、１１は手選別用作業台、１２は第１の手選別用コンベア、１３は第２の手選別用コンベア、２１は作業員、２５はシュート、２６は上部、２７は第１の分岐路、２８は第２の分岐路、２９は受入口、３０は振分部、３１は突起部、３２は第１の排出口、３３は第２の排出口、３６は点検窓、４５はシュート、４６は第１の分岐路、４７は第２の分岐路を示す。
【図１】
2013147310.tif 000003
【図２】
2013147310.tif 000004
【図３】
2013147310.tif 000005
【図４】
2013147310.tif 000006
【図５】
2013147310.tif 000007